(57)【要約】【課題】光素子やＩＣの実装が容易であり、かつ小型な送受信モジュールを提供する。【解決手段】送信側回路基板２１の表面側に実装された発光素子２２およびドライバＩＣ２３と、送信側回路基板２１の裏面側に形成され、送信側光ファイバ２４と光学的に接続される送信側光導波路２５と、送信側光導波路２５に形成され、発光素子２２から出射された光の光路を９０度変換して送信側光導波路２５のコアに入射する送信側ミラー２６と、を有する送信側基板２と、受信側回路基板３１の表面側に実装された受光素子３２およびアンプＩＣ３３と、受信側回路基板３１の裏面側に形成され、受信側光ファイバ３４と光学的に接続される受信側光導波路３５と、受信側光導波路３５に形成され、受信側光導波路３５のコアを伝搬する光の光路を９０度変換して受光素子３２に入射する受信側ミラー３６と、を有する受信側基板３とを備え、両基板２，３の裏面同士を接着固定してなる。【選択図】図１
2011215547.tif 000002
【特許請求の範囲】
【請求項１】
送信側回路基板と、該送信側回路基板の表面側に実装された発光素子およびドライバＩＣと、前記送信側回路基板の裏面側に形成され、送信側光ファイバと光学的に接続される送信側光導波路と、該送信側光導波路に形成され、前記発光素子から出射された光の光路を９０度変換して前記送信側光導波路のコアに入射する送信側ミラーと、を有する送信側基板と、
受信側回路基板と、該受信側回路基板の表面側に実装された受光素子およびアンプＩＣと、前記受信側回路基板の裏面側に形成され、受信側光ファイバと光学的に接続される受信側光導波路と、該受信側光導波路に形成され、前記受信側光導波路のコアを伝搬する光の光路を９０度変換して前記受光素子に入射する受信側ミラーと、を有する受信側基板と、を備え、
前記両基板の裏面同士を向かい合わせた状態で固定してなることを特徴とする送受信モジュール。
【請求項２】
前記両基板の間には、グランド層が形成される請求項１記載の送受信モジュール。
【請求項３】
前記グランド層は、前記送信側基板の裏面及び／又は前記受信側基板の裏面にスパッタリング又は真空蒸着により形成された金属膜からなる請求項２記載の送受信モジュール。
【請求項４】
前記グランド層は、前記両基板を導電性の接着剤で接着固定して形成される接着層からなる請求項２記載の送受信モジュール。
【請求項５】
前記発光素子および前記送信側光導波路を、前記送信側回路基板の一の側辺側に偏らせて配置すると共に、
前記受光素子および前記受信側光導波路を、前記受信側回路基板の一の側辺側に偏らせて配置し、
前記両基板の裏面同士を向かい合わせた際に、前記送信側光導波路と前記受信側光導波路とが重ならないようにされる請求項１〜４いずれかに記載の送受信モジュール。
【請求項６】
前記発光素子および前記送信側ミラーは、前記受光素子および前記受信側ミラーよりも、前記両光ファイバから離れた位置に設けられる請求項１〜５いずれかに記載の送受信モジュール。
【請求項７】
前記両回路基板の端部に接続端子を形成してなるカードエッジコネクタを備えた請求項１〜６いずれに記載の送受信モジュール。
【発明の詳細な説明】
【技術分野】
【０００１】
本発明は、送受信モジュールに関するものである。
【背景技術】
【０００２】
特許文献１では、光ファイバの先端部に直方体状の実装部材を設け、その実装部材に、面発光素子あるいは面受光素子からなる光素子と、光素子を駆動する（あるいは光素子からの電気信号を増幅する）ＩＣとを実装した光モジュールが提案されている。
【０００３】
この光モジュールでは、実装部材の背面から正面に貫通するように光ファイバを挿入する貫通孔が形成されており、実装部材の背面側から貫通孔に挿入された光ファイバの先端と対向する位置、すなわち実装部材の正面における貫通孔が形成された位置に、光素子が実装される。より正確には、光素子は、実装部材の正面に固定される基板に実装される。実装部材の正面と背面以外の面である側面には、ＩＣが搭載され、ＩＣと光素子とが配線パターンを介して電気的に接続される。
【先行技術文献】
【特許文献】
【０００４】
【特許文献１】特開２００１−２８１５０４号公報
【発明の概要】
【発明が解決しようとする課題】
【０００５】
しかしながら、特許文献１の光モジュールでは、実装部材の正面に光素子が実装され、実装部材の側面にＩＣが実装されており、光素子を実装する面とＩＣを実装する面が１つの平面を為していない。そのため、光素子やＩＣの実装がしにくく、実装に手間がかかるという問題がある。
【０００６】
また、特許文献１の光モジュールでは、実装部材の正面に光素子が実装され、実装部材の側面にＩＣが実装されるため、正面から側面に回り込むように配線パターンを形成しなければならなかった。この様な構成だと、配線パターンの距離が長くなるため、電気信号の劣化の原因になるという問題がある。さらに配線パターンの形成が困難であるという問題もある。
【０００７】
これらの問題を解決するため、実装部材の正面に光素子とＩＣの両方を実装することも考えられるが、この場合、光素子とＩＣの実装面積を確保するために実装部材が大型化してしまい、光モジュール全体が大型化してしまうといった問題が生じる。
【０００８】
また、特許文献１の光モジュールでは、実装部材に厚みがあるので、カードエッジコネクタを使用することはできない。
【０００９】
そこで、本発明の目的は、上記課題を解決し、光素子やＩＣの実装が容易であり、かつ小型な送受信モジュールを提供することにある。
【課題を解決するための手段】
【００１０】
本発明は上記目的を達成するために創案されたものであり、送信側回路基板と、該送信側回路基板の表面側に実装された発光素子およびドライバＩＣと、前記送信側回路基板の裏面側に形成され、送信側光ファイバと光学的に接続される送信側光導波路と、該送信側光導波路に形成され、前記発光素子から出射された光の光路を９０度変換して前記送信側光導波路のコアに入射する送信側ミラーと、を有する送信側基板と、受信側回路基板と、該受信側回路基板の表面側に実装された受光素子およびアンプＩＣと、前記受信側回路基板の裏面側に形成され、受信側光ファイバと光学的に接続される受信側光導波路と、該受信側光導波路に形成され、前記受信側光導波路のコアを伝搬する光の光路を９０度変換して前記受光素子に入射する受信側ミラーと、を有する受信側基板と、を備え、前記両基板の裏面同士を向かい合わせた状態で固定してなる送受信モジュールである。
【００１１】
前記両基板の間には、グランド層が形成されてもよい。
【００１２】
前記グランド層は、前記送信側基板の裏面及び／又は前記受信側基板の裏面にスパッタリング又は真空蒸着により形成された金属膜からなってもよい。
【００１３】
前記グランド層は、前記両基板を導電性の接着剤で接着固定して形成される接着層からなってもよい。
【００１４】
前記発光素子および前記送信側光導波路を、前記送信側回路基板の一の側辺側に偏らせて配置すると共に、前記受光素子および前記受信側光導波路を、前記受信側回路基板の一の側辺側に偏らせて配置し、前記両基板の裏面同士を向かい合わせた際に、前記送信側光導波路と前記受信側光導波路とが重ならないようにされてもよい。
【００１５】
前記発光素子および前記送信側ミラーは、前記受光素子および前記受信側ミラーよりも、前記両光ファイバから離れた位置に設けられてもよい。
【００１６】
前記両回路基板の端部に接続端子を形成してなるカードエッジコネクタを備えてもよい。
【発明の効果】
【００１７】
本発明によれば、光素子やＩＣの実装が容易であり、かつ小型な送受信モジュールを提供できる。
【図面の簡単な説明】
【００１８】
【図１】本発明の一実施の形態に係る送受信モジュールを示す図であり、（ａ）は平面図、（ｂ）はその１Ｂ−１Ｂ線断面図、（ｃ）はその１Ｃ−１Ｃ線断面図、（ｄ）はその１Ｄ−１Ｄ線断面図である。
【図２】（ａ）〜（ｇ）は、図１の送受信モジュールの製造方法を説明する図である。
【図３】本発明の一実施の形態に係る送受信モジュールを示す図であり、（ａ）は平面図、（ｂ）はその３Ｂ−３Ｂ線断面図、（ｃ）はその３Ｃ−３Ｃ線断面図である。
【発明を実施するための形態】
【００１９】
以下、本発明の好適な実施の形態を添付図面にしたがって説明する。
【００２０】
図１は、本実施の形態に係る送受信モジュールを示す図であり、（ａ）は平面図、（ｂ）はその１Ｂ−１Ｂ線断面図、（ｃ）はその１Ｃ−１Ｃ線断面図、（ｄ）はその１Ｄ−１Ｄ線断面図である。
【００２１】
図１（ａ）〜（ｄ）に示すように、送受信モジュール１は、送信側基板２と受信側基板３とを備え、両基板２，３の裏面Ｒ同士を向かい合わせた状態で、両基板２，３を接着固定したものである。
【００２２】
まず、送信側基板２について説明する。
【００２３】
送信側基板２は、送信側回路基板２１と、送信側回路基板２１の表面Ｆ側に実装された発光素子２２およびこの発光素子２２を駆動するためのドライバＩＣ２３と、送信側回路基板２１の裏面Ｒ側に形成され、送信側光ファイバ２４と光学的に接続される送信側光導波路２５と、送信側光導波路２５に形成された送信側ミラー２６と、を有する。
【００２４】
送信側回路基板２１は、発光素子２２が発光する光に対して透明な材料からなり、例えば、ポリエチレン、アクリル、エポキシ、シリコーンなどの樹脂からなる。本実施の形態では、送信側回路基板２１として、フレキシブルプリント基板（ＦＰＣ（Ｆｌｅｘｉｂｌｅ  Ｐｒｉｎｔｅｄ  Ｃｉｒｃｕｉｔ））を用いる。
【００２５】
発光素子２２は、例えば、ＶＣＳＥＬ（Ｖｅｒｔｉｃａｌ  Ｃａｖｉｔｙ  Ｓｕｒｆａｃｅ  Ｅｍｉｔｔｉｎｇ  Ｌａｓｅｒ）などの面発光素子からなる。発光素子２２とドライバＩＣ２３とは、送信側回路基板２１に形成された図示しない配線パターンにより電気的に接続されている。発光素子２２、ドライバＩＣ２３、および送信側光導波路２５は、送信側回路基板２１の一の側辺側（図１（ａ）では上側）に偏らせて配置される。
【００２６】
送信側光導波路２５は、図示していないが、コアとクラッドとからなる。送信側光導波路２５の一端部（図１（ａ）〜（ｃ）では右側）には、送信側光ファイバ２４を挿入するための溝２５ａが形成されており、その溝２５ａに送信側光ファイバ２４を挿入することで、送信側光ファイバ２４と送信側光導波路２５のコアとが位置合せされ、光学的に接続される。
【００２７】
また、送信側光導波路２５には、送信側光導波路２５の光軸に対して４５度傾いた傾斜面を有する送信側ミラー２６が形成される。送信側ミラー２６は、発光素子２２から出射された光の光路を９０度変換して、送信側光導波路２５のコアに入射する。送信側ミラー２６は、ダイシングにより送信側光導波路２５にＶ溝を形成することにより形成される。
【００２８】
送信側回路基板２１の裏面Ｒには、スパッタリング又は真空蒸着により形成された金属膜からなる送信側グランド層２７が形成される。また、図示していないが、送信側回路基板２１の他端部（送信側光ファイバ２４が接続される側と反対側、図１（ａ）〜（ｃ）では左側）の表面Ｆには、接続端子が整列して形成され、カードエッジコネクタ４が形成され、ドライバＩＣ２３と電気的に接続されている。
【００２９】
次に、受信側基板３について説明する。
【００３０】
受信側基板３は、受信側回路基板３１と、受信側回路基板３１の表面Ｆ側に実装された受光素子３２およびこの受光素子３２からの電気信号を増幅するためのアンプＩＣ３３と、受信側回路基板３１の裏面Ｒ側に形成され、受信側光ファイバ３４と光学的に接続される受信側光導波路３５と、受信側光導波路３５に形成された受信側ミラー３６と、を有する。
【００３１】
受信側回路基板３１は、受光素子３２が受光する光に対して透明な材料からなり、例えば、ポリエチレン、アクリル、エポキシ、シリコーンなどの樹脂からなる。本実施の形態では、受信側回路基板３１として、フレキシブルプリント基板（ＦＰＣ（Ｆｌｅｘｉｂｌｅ  Ｐｒｉｎｔｅｄ  Ｃｉｒｃｕｉｔ））を用いる。
【００３２】
受光素子３２は、例えば、ＰＤ（Ｐｈｏｔｏ  Ｄｉｏｄｅ）などの面受光素子からなる。受光素子３２とアンプＩＣ３３とは、受信側回路基板３１に形成された図示しない配線パターンにより電気的に接続されている。受光素子３２、アンプＩＣ３３、および受信側光導波路３５は、受信側回路基板３１の一の側辺側（図１（ａ）では下側）に偏らせて配置される。
【００３３】
受信側光導波路３５は、図示していないが、コアとクラッドとからなる。受信側光導波路３５の一端部（図１（ａ）〜（ｃ）では右側）には、受信側光ファイバ３４を挿入するための溝３５ａが形成されており、その溝３５ａに受信側光ファイバ３４を挿入することで、受信側光ファイバ３４と受信側光導波路３５のコアとが位置合せされ、光学的に接続される。
【００３４】
また、受信側光導波路３５には、受信側光導波路３５の光軸に対して４５度傾いた傾斜面を有する受信側ミラー３６が形成される。受信側ミラー３６は、受信側光導波路３５のコアを伝搬する光の光路を９０度変換し、受光素子３２に入射する。受信側ミラー３６は、ダイシングにより受信側光導波路３５にＶ溝を形成することにより形成される。
【００３５】
受光素子３２および受信側ミラー３６は、発光素子２２および送信側ミラー２６を形成した位置よりも、光ファイバ２４，３４側に設けられる。換言すれば、発光素子２２および送信側ミラー２６は、受光素子３２および受信側ミラー３６よりも、両光ファイバ２４，３４から離れた位置にオフセットして設けられる。
【００３６】
受信側回路基板３１の裏面Ｒには、スパッタリング又は真空蒸着により形成された金属膜からなる受信側グランド層３７が形成される。また、図示していないが、受信側回路基板３１の他端部（受信側光ファイバ３４が接続される側と反対側、図１（ａ）〜（ｃ）では左側）の表面Ｆ側には、接続端子が整列して形成され、カードエッジコネクタ４が形成され、アンプＩＣ３３と電気的に接続されている。
【００３７】
送受信モジュール１は、送信側基板２と受信側基板３の裏面Ｒ同士を向かい合わせた状態で、両基板２，３を接着剤５により接着固定して形成される。
【００３８】
このとき、送信側光導波路２５が送信側回路基板２１の一の側辺側に偏らせて配置されており、かつ、受信側光導波路３５が受信側回路基板３１の一の側辺側に偏らせて配置されているため、両光導波路２５，３５が重なって干渉してしまうことはない。さらに、送受信モジュール１の長手方向（光ファイバ２４，３４の挿入方向）で両ミラー２６，３６の位置をずらして両ミラー２６，３６間の距離をより大きくすることによって、両光導波路２５，３５間の光のクロストークの影響を小さくすることができる。また、送受信モジュール１の長手方向で両ＩＣ２３，３３の位置をずらして両ＩＣ２３，３３間の距離をより大きくすることによって、両ＩＣ２３，３３間の電気のクロストークの影響を小さくすることができる。
【００３９】
また、両基板２，３の裏面同士を向かい合わせて接着固定すると、両基板２，３の間には、両グランド層２７，３７が介在することになる。これら両グランド層２７，３７により、両基板２，３間のクロストーク（送受信間のクロストーク）を抑制することが可能になる。なお、両グランド層２７，３７は、例えば、スルーホールを介して両回路基板２１，３１の表面Ｆ側の配線パターン（グランドパターン）に電気的に接続され、カードエッジコネクタ４を介して、接続対象の機器のグランドに電気的に接続される。
【００４０】
両基板２，３を接着固定する際に用いる接着剤５としては、特に限定されるものではないが、例えば、ＵＶ硬化性樹脂、熱硬化性樹脂などを用いるとよい。
【００４１】
次に、送受信モジュール１の製造方法について図２を用いて説明する。
【００４２】
送受信モジュール１を製造する際には、まず、図２（ａ）に示すように、送信側回路基板２１の裏面Ｒに送信側光導波路２５を形成し、図２（ｂ）に示すように、ダイシングによりＶ溝を形成して送信側ミラー２６を形成する。
【００４３】
その後、図２（ｃ）に示すように、送信側回路基板２１の裏面Ｒ側に、スパッタリング又は真空蒸着により金属膜を形成して送信側グランド層２７を形成する。なお、この送信側グランド層２７は、ダイシングにより形成されたＶ溝内にも形成され、送信側ミラー２６における反射膜の役割も兼ねることになる。
【００４４】
送信側グランド層２７を形成した後、図２（ｄ）に示すように、送信側回路基板２１の表面Ｆに発光素子２２とドライバＩＣ２３を実装する。その後、図２（ｅ）に示すように、送信側光導波路２５の一端部に溝２５ａを形成して、その溝２５ａに送信側光ファイバ２４を挿入することで、送信側光ファイバ２４を送信側回路基板２１に実装する。以上により、送信側基板２が得られる。
【００４５】
送信側基板２を形成した後、図２（ａ）〜（ｅ）で説明した同様の手順で受信側基板３を形成し、図２（ｆ）に示すように、両基板２，３の裏面Ｒ同士を向かい合わせる。その後、図２（ｇ）に示すように、両基板２，３を接着剤５で接着固定すると、送受信モジュール１が得られる。なお、図２（ａ）〜（ｆ）では断面図を示しているが、図２（ｇ）では側面図を示している。
【００４６】
以上説明したように、本実施の形態に係る送受信モジュール１では、送信側回路基板２１の表面Ｆ側に、発光素子２２およびドライバＩＣ２３を実装すると共に、その裏面Ｒ側に送信側ミラー２６を有する送信側光導波路２５を形成した送信側基板２と、受信側回路基板３１の表面Ｆ側に、受光素子３２およびアンプＩＣ３３を実装すると共に、その裏面Ｒ側に受信側ミラー３６を有する受信側光導波路３５を形成した受信側基板３とを備え、これら両基板２，３の裏面Ｒ同士を向かい合わせた状態で、両基板２，３を接着固定している。
【００４７】
送受信モジュール１では、発光素子２２とドライバＩＣ２３を同じ平面（送信側回路基板２１の表面Ｆ）に、受光素子３２とアンプＩＣ３３を同じ平面（受信側回路基板３１の表面Ｆ）に実装するため、光素子２２，３２とＩＣ２３，３３の実装が容易であり、さらには、特許文献１の光モジュールのように正面から側面に回り込むような配線パターンを形成する必要がないため、製造が容易である。
【００４８】
また、送受信モジュール１では、特許文献１の光モジュールのような直方体状の実装部材を用いておらず、２つの基板２，３を積層した構造であるため、送受信モジュール１全体を薄くすることが可能である。よって、送受信モジュール１を小型化することができる。従来の特許文献１の光モジュールでは、光素子とＩＣの実装を容易とすれば小型化が困難になるという問題があったが、本発明によれば、光素子２２，３２とＩＣ２３，３３を容易に実装でき、その上、送受信モジュール１を小型化できることになる。
【００４９】
さらに、特許文献１の光モジュールでは、実装部材に厚みがあるので、カードエッジコネクタを使用することはできなかったが、これに対して、送受信モジュール１では、送受信モジュール１全体を薄くできるので、カードエッジコネクタを使用することが可能となる。
【００５０】
さらにまた、送受信モジュール１では、送信側基板２と受信側基板３を別個に形成して、その後両基板２，３を接着固定するため、ダイシング等によりミラー２６，３６を容易に形成することが可能である。通常、積層基板などにおいて中間層にミラーを形成することは非常に困難であるが、本実施の形態では送信側基板２と受信側基板３を別々に形成することにより、ミラー２６，３６を簡便に形成可能としている。
【００５１】
また、送受信モジュール１では、両基板２，３の間にグランド層２７，３７を形成しているため、両基板２，３間のクロストークを抑制することが可能である。送受信モジュール１では、送信と受信が両基板２，３に完全に分かれているので、両基板２，３間にグランド層２７，３７を形成することで、送受信間のクロストークを防止できる。なお、本実施の形態では、両基板２，３にグランド層２７，３７を形成する場合を説明したが、いずれか一方のみを形成するようにしてもよい。
【００５２】
さらに、送受信モジュール１では、発光素子２２および送信側光導波路２５を、送信側回路基板２１の一の側辺側に偏らせて配置すると共に、受光素子３２および受信側光導波路３５を、受信側回路基板３１の一の側辺側に偏らせて配置して、送信側光導波路２５と受信側光導波路３５とが重ならないようにしているため、送受信モジュール１をさらに薄くし、小型化を図ることが可能となる。
【００５３】
さらにまた、送受信モジュール１では、発光素子２２および送信側ミラー２６を、受光素子３２および受信側ミラー３６よりも、両光ファイバ２４，３４から離れた位置に設けているため、発光素子２２からの光が漏れて受光素子３２に直接受光されたり、あるいは発光素子２２からの光が漏れて受信側光導波路３５のコアに光結合してしまうことを防止できる。なお、本実施の形態では、発光素子２２と受光素子３２とを幅方向（図１（ａ）では上下方向）にオフセットしているが、この場合でも、オフセット量が少なければ発光素子２２からの光が漏れて受光素子３２に受光されてしまう場合がある。よって、発光素子２２と受光素子３２とをさらに長さ方向（図１（ａ）では左右方向）にもオフセットして、発光素子２２からの光が漏れたとしても受光素子３２に受光されることがないよう構成することが望ましい。
【００５４】
次に、本発明の他の実施の形態を説明する。
【００５５】
図３（ａ）〜（ｃ）に示す送受信モジュール３０は、図１の送受信モジュール１において、両基板２，３を接着固定した後に、光ファイバ２４，３４を接続するようにしたものである。
【００５６】
具体的には、送受信モジュール３０では、送信側回路基板２１の一端部に、受信側光ファイバ３４を通すための切欠き２８が形成され、かつ、受信側回路基板３１の一端部に、送信側光ファイバ２４を通すための切欠き３８が形成される。
【００５７】
送信側光ファイバ２４は、切欠き３８を通して溝２５ａ内に挿入され、送信側光導波路２５と光学的に接続される。送信側光ファイバ２４の上方（受信側回路基板３１側、図３（ｂ）では下側）には、送信側光ファイバ２４を固定して抜けを防ぐための固定ジグ３９が設けられる。
【００５８】
同様に、受信側光ファイバ３４は、切欠き２８を通して溝３５ａ内に挿入され、受信側光導波路３５と光学的に接続される。受信側光ファイバ３４の上方（送信側回路基板２１側、図３（ｃ）では上側）には、受信側光ファイバ３４を固定して抜けを防ぐための固定ジグ２９が設けられる。
【００５９】
送受信モジュール３０によれば、両基板２，３を接着固定した後に光ファイバ２４，３４を接続することができるので、両基板２，３を接着固定する際に光ファイバ２４，３４が邪魔になることがなく、送受信モジュール３０をより容易に製造することが可能となる。
【００６０】
上記実施の形態では、グランド層２７，３７として、スパッタリング又は真空蒸着により形成された金属膜を用いたが、これに限らず、接着剤５に導電性の接着剤を用い、接着剤５が固化して形成される接着層をグランド層としてもよい。導電性の接着剤としては、例えば、銀微粒子を含むエポキシ樹脂などが挙げられる。この場合、接着剤を固化する際に加熱により銀微粒子を焼結させて、導電性を得るようにすればよい。
【００６１】
また、上記実施の形態では、両回路基板２１，３１として、発光素子２２が発光する光、あるいは受光素子３２が受光する光に対して透明な材料を用いたが、これに限らず、両回路基板２１，３１として、発光素子２２が発光する光、あるいは受光素子３２が受光する光に対して不透明な材料を用い、光が通る部分にスルーホールを形成するようにしてもよい。
【００６２】
このように、本発明は、上述した実施の形態に限定されるものではなく、本発明の趣旨を逸脱しない範囲で種々の変更が可能である。
【符号の説明】
【００６３】
１  送受信モジュール
２  送信側基板
３  受信側基板
２１  送信側回路基板
２２  発光素子
２３  ドライバＩＣ
２４  送信側光ファイバ
２５  送信側光導波路
２６  送信側ミラー
２７  送信側グランド層
３１  受信側回路基板
３２  受光素子
３３  アンプＩＣ
３４  受信側光ファイバ
３５  受信側光導波路
３６  受信側ミラー
３７  受信側グランド層
【図１】
2011215547.tif 000003
【図２】
2011215547.tif 000004
【図３】
2011215547.tif 000005